(57)【特許請求の範囲】
【請求項１】
計器本体の前面側に表示板を配設するとともに、前記計器本体の作動に応じて回動する指針を配設してなるアナログ式計器と、前記アナログ式計器と並設され、前記表示板の表示窓部を介して表示素子の表示部を視認可能とする表示装置と、を備えてなる計器装置において、前記表示素子は、複数の異なる種類からなる表示部が設けられるとともに、前記表示部の領域を第１の表示領域と第２の表示領域とに区分けし、前記表示板の地色部の色合いと同系色からなる着色フィルターを前記第１の表示領域または第２の表示領域のうち一方の表示領域に対応した前記表示素子の前面側に配設してなることを特徴とする計器装置。
【請求項２】
前記第１の表示領域の表示部と前記第２の表示領域の表示部とをそれぞれ独立して照明する光源を設けてなることを特徴とする請求項１に記載の計器装置。
【請求項３】
計器本体の前面側に表示板を配設するとともに、前記計器本体の作動に応じて回動する指針を配設してなるアナログ式計器と、前記アナログ式計器と並設され、前記表示板の表示窓部を介して表示素子の表示部を視認可能とする表示装置と、を備えてなる計器装置において、前記表示素子は、複数の異なる種類からなる表示部が設けられるとともに、前記表示部の領域を第１の表示領域と第２の表示領域とに区分けされ、前記表示板は合成樹脂材料による透光性基板によって形成され、前記透光性基板には、前記表示素子の表示領域以外に地色からなる遮蔽層が設けられるとともに、前記表示窓部の領域において前記第１の表示領域に合わせてスモーク層が施され、前記第２の表示領域に合わせて前記表示素子が直接透視可能に設けてなることを特徴とする計器装置。
【請求項４】
前記第１の表示領域の表示部と前記第２の表示領域の表示部とをそれぞれ独立して照明する光源を設けてなることを特徴とする請求項３に記載の計器装置。
【請求項５】
前記表示板の前記表示窓部の領域において、前記第２の表示領域に合わせて切欠窓部が形成されていることを特徴とする請求項３または請求項４に記載の計器装置。
【請求項６】
前記表示板の前記表示窓部の領域において、前記第２の表示領域に合わせて透視窓部が形成されていることを特徴とする請求項３または請求項４に記載の計器装置。
【発明の詳細な説明】
【技術分野】
【０００１】
本発明は、たとえば車両用などの計器装置に関し、特にアナログ式計器と液晶やＥＬなどの表示装置を備えた計器装置に関するものである。
【背景技術】
【０００２】
この種の計器装置、たとえば自動車やオートバイをはじめとする各種車両や船舶、建設機械などに搭載される計器装置には、下記特許文献１などに開示されているように、車両情報などを表示する周知な指針式のアナログ式計器および車両情報を表示する液晶やＥＬなどの表示素子を用いた表示装置(フラットディスプレイパネル)とを併設した計器装置が種々提案されている。
【０００３】
従来の計器装置を図１０および図１１を用いて説明する。たとえば自動車に搭載されるコンビネーションメータである計器装置としては、外装部材であるケース１の内部に速度計（スピードメータ）、エンジン回転計（タコメータ）、燃料計、水温計などの情報を表示する表示部材である周知な指針式の計器からなるアナログ式の指示計器Ｍ１が収納固定され、この指示計器Ｍ１の計器本体２(ムーブメント)の前面側には表示板３が取付固定され、計器本体２の回転軸４に組み付けられた指針５の指示を表示板３に施した目盛や文字などの表示部３Ａと対比判読するようにしている。
【０００４】
またケース１の内部側において、たとえば中央に位置した速度計（スピードメータ）の指示計器Ｍ１の下部側に走行距離計（ＯＤＯ，ＴＲＩＰ）からなる車両情報を表示するフラットディスプレイパネルとなる液晶表示装置Ｍ２による表示部材が配置されるとともに、右側に位置した燃料計、水温計などの下部側においても同様に、時計（時刻表示）や車両などの異常時たとえば燃料切れなどを表示したり、エンジンの水温が正常値を超えたりした場合などにその車両情報を警報表示する液晶表示装置Ｍ２による表示部材が配置されており、それぞれの表示部材が硬質の回路基板６上に実装され、外装部材であるケース１内に組み付け固定されている。
【０００５】
この場合、フラットディスプレイパネルからなる液晶表示装置Ｍ２にあっては、表示板３に設けた透視窓部や切り欠き窓部などからなる表示窓部３Ｂを介して視認することができるように構成されている。
【０００６】
また液晶表示装置Ｍ２は、略矩形状からなる液晶表示素子７が樹脂製のホルダー８によって固定保持され、このホルダー８を回路基板６に組み付け固定するように構成している。またホルダー８の下端部側には発光ダイオードからなる光源９が配置されるとともに、この光源９が回路基板６上に実装されている。
【０００７】
ところで、従来および特許文献１による計器装置にあっては、燃料計、水温計などの下部側に配置された液晶表示装置Ｍ２を例にして説明すると、液晶表示素子７の表示面に時計機能である時刻を示す文字や数字からなる表示部７Ａがそれぞれ電極として形成されるとともに、この表示部７Ａの上側に併設するように燃料の残量が所定値以下になったことを知らせるための警報マークからなる警報表示部７Ｂがセグメントとして電極にて形成されている。すなわち、液晶表示素子７の表示面には複数の異なる種類からなる表示部７Ａ，７Ｂが設けられているため、集中した箇所にてそれぞれの表示内容を読み取ることができるように形成されている。なお、警報表示部７Ｂとして、サイドブレーキを掛けたときに表示する警報マークやエンジンの水温が正常値を超えたりした時に表示する警報マークなどがそれぞれセグメントとして電極にて形成されている。
【０００８】
従って、時計機能としては車両に電源が供給されると同時あるいは常時通電されることによって文字や数字からなる表示部７Ａ（時刻表示）を即座に判読することができる。また、車両自体に異常が発生したり、あるいは正常な値を超えた場合にのみ警報表示部７Ｂのセグメントの電極に通電されることによって表示（警報マーク）箇所を即座に読み取ることができ、警報内容を容易に判別することができるというメリットがある。加えて、液晶表示素子７の表示面に複数の異なる種類からなる表示部７Ａ，７Ｂが設けられているため、集中した箇所にてそれぞれの表示内容を読み取ることができるというメリットがある。
【特許文献１】特開平１１−１０８７００号公報
【発明の開示】
【発明が解決しようとする課題】
【０００９】
しかしながら、従来および特許文献１による計器装置にあっては、計器装置の表示板の地色部として一般的に濃い色合いである黒色系などが背景色として用いられている。これに対し、液晶表示素子７の表示面の色合いは灰色系であり、前述した時計などのように時刻を示す文字や数字からなる表示部７Ａが常時通電表示されている状態であればさほど支障はないが、警報表示部のように異常時などのみ警報表示部７Ｂのセグメントの電極に通電されることによって警報表示部７Ｂの警報マークが現出する場合であったり、図示はしないが燃費計あるいは外気温度などを見たいときにのみスイッチの切り替えによって切り換え表示するものであったりする場合にあっては、図９の下側に示した図のように、液晶表示装置Ｍ２に形成される液晶表示素子７の表示面の上側箇所が表示がない状態にて灰色系の色合いにてそのまま見えてしまい、結果として、表示板の背景色である黒色系の色合いに対して液晶表示素子７の表示面の灰色系の色合いが平坦的にブランク状態となって目立ってしまうため違和感が生じてしまうという問題があり、デザイン性に乏しいといった問題点を有している。なお、液晶などの表示素子７には、その表示面の色合いが灰色系の他に黒色系の色合いからなる背景色にて構成されているものもあるが、表示板の地色部と表示素子７の背景色との光沢の差異などにおいて同様にして違和感が生じてしまうことがある。
【００１０】
本発明は前述した問題点に着目し、アナログ式計器と表示装置とを併設してなる計器装置において、表示装置の表示部による違和感を緩和し、質感を高めることができる表示装置を含む計器装置を提供することを目的とする。
【課題を解決するための手段】
【００１１】
本発明は前述した課題を解決するため、請求項１では、計器本体の前面側に表示板を配設するとともに、前記計器本体の作動に応じて回動する指針を配設してなるアナログ式計器と、前記アナログ式計器と並設され、前記表示板の表示窓部を介して表示素子の表示部を視認可能とする表示装置と、を備えてなる計器装置において、前記表示素子は、複数の異なる種類からなる表示部が設けられるとともに、前記表示部の領域を第１の表示領域と第２の表示領域とに区分けし、前記表示板の地色部の色合いと同系色からなる着色フィルターを前記第１の表示領域または第２の表示領域のうち一方の表示領域に対応した前記表示素子の前面側に配設してなることを特徴とする計器装置である。
【００１２】
このように構成することにより、表示板の地色部の色合いと同系色からなる着色フィルターを前記一方の表示領域に対応した前記表示素子の前面側に配設することによって、表示素子の背景色である表示面が着色フィルターによって目隠しされて目立たなくなるものであり、これにより表示装置の表示部による違和感が緩和され、質感を高めることができる表示装置を含んだ計器装置を提供することができる。
【００１３】
また、請求項１に記載の計器装置において、請求項２では、前記第１の表示領域の表示部と前記第２の表示領域の表示部とをそれぞれ独立して照明する光源を設けてなることを特徴とするものである。
【００１４】
このように構成することにより、光源からの照射光線によって照明表示する際に、第１の表示領域に対応した表示部箇所が着色フィルタを介して透過照明によって浮き上がって見えるものであり、質感を高めることができる表示装置を含む計器装置を提供することができる。
【００１５】
また請求項３では、計器本体の前面側に表示板を配設するとともに、前記計器本体の作動に応じて回動する指針を配設してなるアナログ式計器と、前記アナログ式計器と並設され、前記表示板の表示窓部を介して表示素子の表示部を視認可能とする表示装置と、を備えてなる計器装置において、前記表示素子は、複数の異なる種類からなる表示部が設けられるとともに、前記表示部の領域を第１の表示領域と第２の表示領域とに区分けし、前記表示板は合成樹脂材料による透光性基板によって形成され、前記透光性基板には、前記表示素子の表示領域以外に地色からなる遮蔽層が設けられるとともに、前記表示窓部の領域において前記一方の前記表示領域に合わせてスモーク層が施され、他方の前記表示領域に合わせて前記表示素子を直接透視可能に設けてなることを特徴とする計器装置である。
【００１６】
このように構成することにより、一方の表示領域に合わせてスモーク層の色合いにて一方の表示領域を覆ってなることにより、表示素子の背景色である表示面がスモーク層によって目隠しされて目立たなくなるものであり、これにより表示板の表示窓部を介して視認される表示装置の違和感が緩和され、質感を高めることができる表示装置を含んだ計器装置を提供することができる。
【００１７】
また請求項３に記載の計器装置において、請求項４では、前記第１の表示領域の表示部と前記第２の表示領域の表示部とをそれぞれ独立して照明する光源を設けてなることを特徴とするものである。
【００１８】
このように構成することにより、光源からの照射光線によって照明表示する際に、第１の表示領域に対応した表示部箇所がスモーク層を介して透過照明によって浮き上がって見えるものであり、質感を高めることができる表示装置を含む計器装置を提供することができる。
【００１９】
また請求項３または請求項４に記載の計器装置において、請求項５では、前記表示板の前記表示窓部の領域において、前記第２の表示領域に合わせて切欠窓部が形成されていることを特徴とするものである。
【００２０】
このように構成することにより、表示素子の一方の表示領域においては、表示板に設けられたスモーク層を介して表示素子の第１の表示領域を覗き見ることができるものであり、また表示素子の他方の表示領域は切欠窓部からなる表示窓部を介してそのまま素通しにて表示素子の表示部を判読することができる。この際、一方の表示領域は表示板に設けられたスモーク層を介して覗き見るものであるため、表示素子の表示面が目立たなくなるものであり、これにより表示板の表示窓部を介して視認される表示装置の違和感が緩和され、質感を高めることができる表示装置を含んだ計器装置を提供することができる。
【００２１】
また請求項３または請求項４に記載の計器装置において、請求項６では、前記表示板の前記表示窓部の領域において、前記第２の表示領域に合わせて透視窓部が形成されていることを特徴とするものである。
【００２２】
このように構成することにより、表示素子の一方の表示領域においては、表示板に設けられたスモーク層を介して表示素子の一方の表示領域を覗き見ることができるものであり、また表示素子の他方の表示領域は透視窓部からなる表示窓部を介してそのまま素通しにて表示素子の表示部を判読することができる。この際、一方の表示領域は表示板に設けられたスモーク層を介して覗き見るものであるため、表示素子の表示面が目立たなくなるものであり、これにより表示板の表示窓部を介して視認される表示装置の違和感が緩和され、質感を高めることができる表示装置を含んだ計器装置を提供することができる。
【発明の効果】
【００２３】
本発明では、計器本体の前面側に表示板を配設するとともに、前記計器本体の作動に応じて回動する指針を配設してなるアナログ式計器と、前記アナログ式計器と並設され、前記表示板の表示窓部を介して表示素子の表示部を視認可能とする表示装置と、を備えてなる計器装置において、前記表示素子は、複数の異なる種類からなる表示部が設けられるとともに、前記表示部の領域を第１の表示領域と第２の表示領域とに区分けし、前記表示板の地色部の色合いと同系色からなる着色フィルターを前記第１の表示領域または第２の表示領域のうち一方の表示領域に対応した前記表示素子の前面側に配設してなることを特徴とする計器装置であるため、表示板の地色部の色合いと同系色からなる着色フィルターを前記一方の表示領域に対応した前記表示素子の前面側に配設することによって表示素子の表示面が目立たなくなるものであり、表示装置の表示部による違和感を緩和し、質感を高めることができる表示装置を含んだ計器装置を提供することができるものであり、所期の目的を達成することができる。
【発明を実施するための最良の形態】
【００２４】
以下、添付図面に基づいて、本発明を適用した計器装置の実施形態を説明する。
【００２５】
図１から図３は本発明の第１の実施形態を示すもので、図１は車両用計器に搭載されるアナログ式計器と液晶による表示装置とを示す正面図、図２は図１の要部箇所を示す断面図、図３は図１における表示板と液晶による表示装置とを示す要部の分解斜視図であり、前述した従来例と同一部分、均等箇所については同一符号を付して説明する。
【００２６】
本実施形態による計器装置は、たとえば自動車のダッシュボードに搭載されるコンビネーションメータからなるもので、図１に示すように、外装部材であるケース１の内部に速度計（スピードメータ）、エンジン回転計（タコメータ）、燃料計、水温計などの情報を表示する表示部材である周知な指針式の計器からなるアナログ式の指示計器Ｍ１が収納固定され、この指示計器Ｍ１の計器本体２(ムーブメント)の前面側には表示板３が取付固定され、計器本体２の回転軸４に組み付けられた指針５の指示を表示板３に施した目盛や文字などの表示部３Ａと対比判読するようにしている。
【００２７】
またケース１の内部側において、たとえば中央に位置した速度計（スピードメータ）の指示計器Ｍ１の下部側に走行距離計（ＯＤＯ，ＴＲＩＰ）からなる車両情報を表示するフラットディスプレイパネルとなる液晶表示装置Ｍ２による表示部材が配置されるとともに、右側に位置した燃料計、水温計などの下部側においても同様に、時計（時刻表示）や車両などの異常時たとえば燃料切れなどを表示したり、エンジンの水温が正常値を超えたりした場合などにその車両情報を警報表示する液晶表示装置Ｍ２（フラットディスプレイパネル）による表示部材が配置されており、それぞれの表示部材が硬質の回路基板６上に実装され、外装部材であるケース１内に組み付け固定されている。
【００２８】
この場合、フラットディスプレイパネルからなる液晶表示装置Ｍ２にあっては、一般的に表示板３に設けた透視窓部や切欠窓部などからなる表示窓部３Ｂを介して視認することができるように構成しているが、この第１の実施形態では透視窓部３０からなる表示窓部３Ｂによって形成しており、その表示窓部３Ｂ（透視窓部３０）の領域を除く表示板３のほぼ全領域に表示板３の背景色となる黒色系のインクによって地色部３Ｃを印刷などの手段によって形成している。
【００２９】
また液晶表示装置Ｍ２は、略矩形状からなる液晶表示素子７が樹脂製のホルダー８によって固定保持され、このホルダー８を回路基板６に組み付け固定するように構成している。またホルダー８の下端部側には発光ダイオードからなる光源９が配置されるとともに、この光源９が回路基板６上に実装されている。
【００３０】
第１の実施形態にあっては、前述したようにケース１の内部側において、右側に位置した燃料計、水温計などの指示計器Ｍ１と隣接した箇所に車両情報を警報表示する液晶表示装置Ｍ２（フラットディスプレイパネル）による表示部材が配置されている。
【００３１】
液晶表示素子７の表示面に車両情報である時計機能である時刻を示す文字や数字からならなる表示部７Ａがそれぞれセグメント電極として形成されるとともに、この表示部７Ａの上側に併設するように燃料の残量が所定置以下になったことを知らせるための警報マークからなる警報表示部７Ｂがセグメントとして電極にて形成されている。この場合、警報表示部７Ｂとして、サイドブレーキの操作時に表示する警報マークやエンジンの水温が正常値を超えたりした時に表示する警報マークなどがそれぞれセグメントとして電極にて形成されている。
【００３２】
第１の実施形態では、液晶表示装置Ｍ２の比較的広いガラス基板からなる液晶表示素子７においては、警報表示のように異常時などのみ警報表示部７Ｂのセグメントの電極に通電されることによって警報表示部７Ｂの警報マークが現出する場合であったり、図示はしないが燃費計あるいは外気温度などを見たいときにのみスイッチの切り替えによって切り換え表示するものであったりする場合にあっては、液晶表示素子７の表示面の色合い（灰色系）箇所が表示窓部３Ｂを介してそのままブランク状態（無表示）にて見えてしまう表示領域７００（第１の表示領域）と、時計機能としては車両に電源が供給されると同時あるいは常時通電されることによって文字や数字などからなる表示部７Ａ（時刻表示）がいつでも現出している表示領域７０１（第２の表示領域）とに区分けされている。
【００３３】
そこで、この第１実施形態にあっては、液晶表示素子７の表示面の色合い（灰色系）箇所が表示窓部３Ｂを介してそのまま見えてしまう表示領域７００（第１の表示領域）に対応する表示板３の背面側、すなわち液晶表示素子７の前面側には表示板３の地色部３Ｃの色合いと同系色からなるたとえば黒色系の着色フィルター７１０を配設している。その際、着色フィルター７１０の色合いを表示板３と合わせると同時に着色フィルター７１０表面の光沢なども細かいシボ加工などを施し表示板３表面（地色部３Ｃ）に合わせると最良である。
【００３４】
このように構成された第１の実施形態における計器装置では、表示板３の背後側に設けられる液晶表示素子７の時計の時刻表示にあっては、表示板３の表示窓部３Ｂを介して常に表示部７Ａが表示領域７０１（第２の表示領域）にて読み取れるものであり、また夜間などにおいては、発光ダイオードからなる光源９の点灯によって表示部７Ａが表示領域７０１（第２の表示領域）にて透過照明される。なお、場合によっては、昼夜関係なく光源９を常時点灯し表示部７Ａを透過照明するようにしても良い。
【００３５】
また警報マークからなる警報表示部７Ｂが設けられた液晶表示素子７の表示領域７００（第１の表示領域）においては、警報表示部７Ｂのセグメントの電極に通電されていない場合では、液晶表示素子７の表示領域７００（第１の表示領域）の前面側に配設された表示板３の地色部３Ｃの色合いである黒色系と同系色にて形成した着色フィルター７１０によって表示領域７００（第１の表示領域）が目隠しされて目立たなくなり、これにより表示板３の表示窓部３Ｂを介して視認される液晶表示装置Ｍ２の違和感が緩和され、質感を高めることができる液晶表示装置Ｍ２を含んだ計器装置を提供することができる。
【００３６】
また警報表示部７Ｂのセグメントの電極に通電された時においては、表示領域７００（第１の表示領域）が黒色系の着色フィルター７１０の色合いを背景にして警報マークからなる警報表示部７Ｂが浮かび上がって見える。この際、警報表示部７Ｂのセグメントの電極に通電すると同時に、光源９を点灯し警報表示部７Ｂを透過照明することにより（警報マーク）箇所を即座に読み取ることができ、警報内容を容易に判別することができる。また、光源９自体の発光色を任意に設定することによって警報表示領域のみを黒色系の着色フィルター７１０を背景にして任意の発光色にて透過照明することもできる。
【００３７】
図４から図６は、本発明の第２の実施形態を示すものであり、図４は、本発明の第２の実施形態である計器装置を示す正面図、図５は図４の要部箇所を示す断面図、図６は図４における表示板と液晶表示装置とを示す要部の分解斜視図であり、前述した第１の実施形態と同一部分、均等箇所については同一符号を付して説明する。
【００３８】
この第２の実施形態にあっては、前述した第１の実施形態と同様にして、ケース１の内部側において、たとえば中央に位置したアナログ式計器からなる速度計（スピードメータ）の指示計器Ｍ１の下部側に走行距離計（ＯＤＯ，ＴＲＩＰ）からなる車両情報を表示する液晶表示装置Ｍ２による表示部材が配置されるとともに、右側に位置したアナログ式計器からなる燃料計、水温計などの下部側においても同様に、時計（時刻表示）や車両などの異常時にたとえば燃料切れなどを表示したり、エンジンの水温が正常値を超えたりした場合などにその車両情報を警報表示する液晶表示装置Ｍ２（フラットディスプレイパネル）による表示部材が配置されており、それぞれの表示部材が硬質の回路基板６上に実装され、外装部材であるケース１内に組み付け固定されている。
【００３９】
また液晶表示装置Ｍ２は、略矩形状からなる液晶表示素子７が樹脂製のホルダー８によって固定保持され、このホルダー８を回路基板６に組み付け固定するように構成している。またホルダー８の下端部側には発光ダイオードからなる光源９が配置されるとともに、この光源９が回路基板６上に実装されている。
【００４０】
液晶表示素子７の表示面に車両情報である時計機能である時刻を示す文字や数字からならなる表示部７Ａがそれぞれセグメント電極として形成されるとともに、この表示部７Ａの上側に併設するように燃料の残量が所定値以下になったことを知らせるための警報マークからなる警報表示部７Ｂがセグメントとして電極にて形成されている。この場合、警報表示部７Ｂとして、サイドブレーキを掛けたときに表示する警報マークやエンジンの水温が正常値を超えたりした時に表示する警報マークなどがそれぞれセグメントとして電極にて形成されている。
【００４１】
また第２の実施形態では、第１の実施形態と同様にして、液晶表示装置Ｍ２の比較的広いガラス基板からなる液晶表示素子７において、警報表示のように異常時などのみ警報表示部７Ｂのセグメントの電極に通電されることによって警報表示部７Ｂの警報マークが現出する場合であったり、図示はしないが燃費計あるいは外気温度などを見たいときにのみスイッチの切り替えによって切り換え表示するものであったりする場合にあっては、液晶表示素子７の表示面の色合い（灰色系）箇所が表示窓部３Ｂを介してそのままブランク状態（無表示）にて見えてしまう表示領域７００（第１の表示領域）と、時計機能としては車両に電源が供給されると同時あるいは常時通電されることによって文字や数字などからなる表示部７Ａ（時刻表示）がいつでも現出している表示領域７０１（第２の表示領域）とに区分けされている。
【００４２】
この第２の実施形態にあっては、表示板３に設けた透視窓部３０からなる表示窓部３Ｂを介して液晶表示素子７の表示部７Ａ，７Ｂを視認することができるように構成しているが、表示窓部３Ｂ（透視窓部３０）の領域を除く表示板３のほぼ全領域に表示板３の背景色となる黒色系のインクによって地色部３Ｃを印刷などの手段によって形成している。加えて、液晶表示素子７の表示面である地色の色合い（灰色系）箇所が表示窓部３Ｂを介してそのまま見えてしまう表示領域７００（第１の表示領域）に対応する表示板３箇所については、その表示領域７００（第１の表示領域）に合わせてスモーク層７２０が印刷などの手段によって施され、その他の表示領域７０１（第２の表示領域）については印刷層を施さない素通しの透視窓部３０が形成されている。
【００４３】
このように構成された第２の実施形態における計器装置では、時計の時刻表示にあっては、表示板３の表示窓部３Ｂに設けられた透視窓部３０箇所を介して常に表示部７Ａが表示領域７０１（第２の表示領域）にて読み取れるものであり、また夜間などにおいては、第１の実施形態と同様にして発光ダイオードからなる光源９の点灯によって表示部７Ａが表示領域７０１（第２の表示領域）にて透過照明される。
【００４４】
また警報マークからなる警報表示部７Ｂが設けられた液晶表示素子７の表示領域７００（第１の表示領域）においては、警報表示部７Ｂのセグメントの電極に通電されていない場合では、表示板３の地色部３Ｃの色合いと近似しているスモーク層７２０によって表示領域７００（第１の表示領域）が目隠しされて目立たなくなり、これにより表示板３の表示窓部３Ｂを介して視認される液晶表示装置Ｍ２の違和感が緩和され、質感を高めることができる液晶表示装置Ｍ２を含んだ計器装置を提供することができる。
【００４５】
また警報表示部７Ｂのセグメントの電極に通電された時においては、表示領域７００（第１の表示領域）がスモーク層７２０の色合いを背景にして警報マークからなる警報表示部７Ｂが浮かび上がって見える。この際、警報表示部７Ｂのセグメントの電極に通電すると同時に、光源９を点灯し警報表示部７Ｂを透過照明することにより（警報マーク）箇所を即座に読み取ることができ、警報内容を容易に判別することができるものであり、前述した第１の実施形態と同様にして、光源９自体の発光色を任意に設定することによって警報表示領域のみをスモーク層７２０の色合いを背景にして任意の発光色にて透過照明することができる。
【００４６】
図７から図９は、本発明の第３の実施形態を示すものであり、図７は、本発明の第３の実施形態である計器装置の正面図、図８は図７の要部箇所を示す断面図、図９は図７における表示板と液晶表示装置とを示す要部の分解斜視図である。
【００４７】
この第３の実施形態にあっては、前述した第２の実施形態とほぼ同じ構成からなるものであって、その相違点のみを詳述する。
【００４８】
この第３の実施形態にあっては、表示板３に設けた透視窓部３０と切欠窓部３１からなる表示窓部３Ｂを介して液晶表示素子７の表示部７Ａ，７Ｂを視認することができるように構成している。
【００４９】
この場合、表示窓部３Ｂの透視窓部３０と切欠窓部３１の領域を除く表示板３のほぼ全領域に表示板３の背景色となる濃紺の色合いからなるインクによって地色部３Ｃを印刷などの手段によって形成している。加えて、液晶表示素子７の表示面である地色の色合い（灰色系）箇所が表示窓部３Ｂを介してそのまま見えてしまう表示領域７００（第１の表示領域）に対応する表示板３箇所については、その表示領域７００（第１の表示領域）に合わせて濃紺の顔料を含むスモーク層７２０が印刷などの手段によって形成され、表示領域７０１（第２の表示領域）については前述した切欠窓部３１を介して時刻表示などの表示部７Ａが直接読み取れるように形成されている。なお、場合によっては地色部３Ｃの色合い（濃紺からなる背景色）と近似する濃い色合いである黒色系の顔料を含んだ色合いからなるスモーク層７２０にて表示領域７００（第１の表示領域）を印刷するようにしても良い。
【００５０】
このように構成された第３の実施形態における計器装置では、時計の時刻表示にあっては、表示板３の表示窓部３Ｂに設けられた切欠窓部３１箇所を介して表示領域７０１（第２の表示領域）に設けられた表示部７Ａが常時読み取れるものであり、また夜間などにおいては、第１あるいは第２の実施形態と同様にして発光ダイオードからなる光源９の点灯によって表示部７Ａが透過照明される。
【００５１】
また警報マークからなる警報表示部７Ｂが設けられた液晶表示素子７の表示領域７００（第１の表示領域）においては、前述した第２の実施形態と同様にして警報表示部７Ｂのセグメントの電極に通電されていない場合では、表示板３の地色部３Ｃの色合いと同系色あるいは近似している色合いからなるスモーク層７２０によって表示領域７００（第１の表示領域）が目隠しされて目立たなくなり、これにより表示板３の表示窓部３Ｂを介して視認される液晶表示装置Ｍ２の違和感が緩和され、質感を高めることができる液晶表示装置Ｍ２を含んだ計器装置を提供することができる。
【００５２】
また警報表示部７Ｂのセグメントの電極に通電された時においては、表示領域７００（第１の表示領域）がスモーク層７２０の色合いを背景にして警報マークからなる警報表示部７Ｂが浮かび上がって見える。この際、警報表示部７Ｂのセグメントの電極に通電すると同時に、光源９を点灯し警報表示部７Ｂを透過照明することにより（警報マーク）箇所を即座に読み取ることができ、警報内容を容易に判別することができるものであり、前述した第２の実施形態と同様にして、光源９自体の発光色を任意に設定することによって警報表示領域のみをスモーク層７２０の色合い（この実施形態にあっては濃紺色）を背景にして任意の発光色にて透過照明することができる。
【００５３】
また、警報表示部７Ｂのセグメントの電極に通電されることによって表示（警報マーク）箇所が即座に読み取ることができ、警報内容を容易に判別することができるものであり、加えて、液晶表示素子７の表示面には複数の異なる種類からなる表示部７Ａ，７Ｂが設けられているため、集中した箇所にてそれぞれの表示内容を読み取ることができるという効果がある。
【００５４】
また、第２の実施形態と第３の実施形態においては、表示板３の表面側において地色部３Ｃと同一表面上にスモーク層７２０を設けることによって段差もなく形成できるため、表示板３の表示窓部３Ｂを介して視認される液晶表示装置Ｍ２の違和感が緩和されものであり、質感を高めることができる液晶表示装置Ｍ２を含んだ計器装置を提供することができる。
【００５５】
本発明は、前述した実施例に限定されるものではなく本発明の要旨の範囲内において種々の変形実施が可能である。たとえば、第１から第３の実施形態においては、液晶表示素子７を光源９からの照射光線を直接的に背後から照らし出して透過照明するようにしていたが、光源９と液晶表示素子７との間に導光体を介在して照射光線を均一的に導くように構成しても良いものであり、また液晶表示素子７の表示部７Ｂの発光色を光源９自体の発光色にて任意に設定するように構成していたが、光源９と液晶表示素子７との間にカラーフィルターを介して透過照明するようにしても良い。また車両の電源投入時（イグニッションＳＷのＯＮ）に液晶表示素子７に設けられた各表示領域７００，７０１の表示部７Ａ，７Ｂの全てのセグメント電極を通電することによって全体の表示内容を確認することができるようにし、次いで常時表示する箇所のみのセグメント電極に通電を持続して表示内容を継続するようにしても良いものである。また、第２の実施形態と第３の実施形態においては、表示板３の表面側において地色部３Ｃと同一表面上にスモーク層７２０を設けていたが、スモーク層７２０を表示板３の背面側に設けても良いものであり、さらに表示板３の背面側において地色部３Ｃとスモーク層７２０とを設けて構成しても同様な効果を得ることができるものである。また、各実施形態においては表示素子として液晶表示素子７を例にして説明していたが、ＥＬなどの表示素子や他の表示素子においても同様な効果を得ることが可能である。
【図面の簡単な説明】
【００５６】
【図１】図１は、本発明の第１の実施形態である車両用計器に搭載されるアナログ式計器と液晶による表示装置とを示す計器装置の正面図。
【図２】図２は、図１の要部箇所を示す計器装置の断面図。
【図３】図３は、図１における表示板と液晶による表示装置とを示す要部の分解斜視図。
【図４】図４は、本発明の第２の実施形態である計器装置を示す正面図。
【図５】図５は、図４の要部箇所を示す計器装置の断面図。
【図６】図６は、図４における表示板と液晶による表示装置とを示す要部の分解斜視図。
【図７】図７は、本発明の第３の実施形態である計器装置を示す正面図。
【図８】図８は、図７の要部箇所を示す計器装置の断面図。
【図９】図９は、図７における表示板と液晶による表示装置とを示す要部の分解斜視図。
【図１０】図１０は、従来の車両用計器に搭載された計器装置を示す正面図。
【図１１】図１１は、図１０の要部箇所を示す計器装置の断面図。
【符号の説明】
【００５７】
１    ケース（外装部材）
２    計器本体（ムーブメント）
３    表示板
３Ａ    表示部
３Ｂ    表示窓部
３Ｃ    地色部
５    指針
６    回路基板
７    液晶表示素子
７Ａ    表示部
７Ｂ    警報表示部
８    ホルダー
９    光源（発光ダイオード）
３０    透視窓部
３１    切欠窓部
７００    表示領域（第１の表示領域）
７０１    表示領域（第２の表示領域）
７１０    着色フィルタ
７２０    スモーク層
Ｍ１    指示計器（アナログ式計器）
Ｍ２    液晶表示装置
【図１】
0005105057.tif 000002
【図２】
0005105057.tif 000003
【図３】
0005105057.tif 000004
【図４】
0005105057.tif 000005
【図５】
0005105057.tif 000006
【図６】
0005105057.tif 000007
【図７】
0005105057.tif 000008
【図８】
0005105057.tif 000009
【図９】
0005105057.tif 000010
【図１０】
0005105057.tif 000011
【図１１】
0005105057.tif 000012